(57)【特許請求の範囲】
【請求項１】
本体及び該本体の左右両側に設けられた左右一対のウイング部を有し、該本体の非肌当接面側に本体粘着部が設けられ且つ該ウイング部の非肌当接面側にウイング粘着部が設けられている吸収性物品と、これを個装する包装材とからなり、該本体粘着部と該包装材の内面とを剥離自在に粘着させてなる吸収性物品の包装構造において、
上記ウイング部は、肌当接面側に向けて折り曲げられており、
上記吸収性物品は、上記本体粘着部の略全面が上記包装材の内面に当接するように該包装材に粘着されており、
上記包装材に粘着された上記吸収性物品は、その長手方向において、上記ウイング部が折り曲げられているウイング折曲部、該ウイング折曲部の前方に位置する前方部、及び該ウイング折曲部の後方に位置する後方部に区分されており、
上記包装材に粘着された上記吸収性物品の上記前方部及び上記後方部は、該包装材と共に、上記ウイング折曲部の上記非肌当接面側に折り畳まれており、
上記包装材は、その内面が、該内面の長手方向側縁部の少なくとも一部を残して剥離処理されて、剥離処理された剥離部と、剥離処理されていない非剥離部とに区分されており、該非剥離部は、上記包装材の内面における上記後方部に当接する部分の長手方向左右両側縁部に設けられており、
上記包装材には、ウイング粘着部保護部材が、該ウイング粘着部保護部材の両端縁部をそれぞれ該包装材における上記後方部に当接する部分の長手方向左右両側縁部の上記非剥離部に固着して設けられており、該ウイング粘着部保護部材は、剥離自在に上記ウイング粘着部に粘着されている、
ことを特徴とする吸収性物品の包装構造。
【発明の詳細な説明】
【０００１】
【発明の属する技術分野】
本発明は、吸収性物品の包装構造に関し、特に、ウイング部付の吸収性物品を、そのズレ止め性を低下させることなく、コンパクトに個装してなり、且つ取り出し性にも優れた吸収性物品の包装構造に関する。
【０００２】
【従来の技術及び発明が解決しようとする課題】
吸収性物品としては、本体及び該本体の左右両側に設けられた左右一対のウイング部を有する生理用ナプキン等、ウイング部を有するものが広く用いられている。このウイング部は、吸収性物品をショーツ等の下着に巻き付けるように固定して使用するためのものである。
従来、このようなウイング部を有する生理ナプキン等を個装する包装構造においては、本体の粘着部及びウイング部の粘着部を被覆すべく、剥離材が個装材とは別に用いられていた。
このため、上記包装構造では、生理用ナプキンを装着する際には、本体の粘着部及びウイング部の粘着部を保護している剥離材を取り外す手間が必要となるだけでなく、取り外した剥離材がゴミとなって残るという問題があった。更には、剥離材を取り外してから、生理用ショーツ等の下着に取り付けるまでの間、本体の粘着部及ウイング部の粘着部が被覆されていない状態となり、しかもゴミである上記剥離剤も存在するため、装着操作を誤りやすい等、取扱い易さの点で問題があり、これにより本体の粘着部とウイング部の粘着部の相互接着が生じる危険性が高く、結果的に、吸収性物品の有する本来の効果を十分に発揮できない場合が多いという問題もあった。そして、このような問題は、漏れない吸収性物品を提供する上で障害となっていた。
【０００３】
そこで、上記の問題点を解消するために、吸収性物品の包装構造について種々改良がなされている。
例えば、従来のウイング付きの生理用ナプキンの包装構造としては、特表平５−５０６７９９号公報においては、ウイング部に設けられた粘着部を、該ウイング部を生理用ナプキンの表面シート側に折り返し、該粘着部を剥離紙で保護してなる包装構造が提案されている。
しかしながら、このような包装構造においては、装着時において、ウイング部の粘着部を保護している剥離紙を取り外す手間が必要であると共に、剥離紙がゴミとなって残るため、取扱い易さの点の問題が解消されていない。更には、別部材を必要とするため、製造過程が煩雑となり生産性が悪くなったり、コストも高くなるという問題がある。
【０００４】
また、実開平７−３９８２０号公報には、ウイング部をナプキンの表面シート上に折り重ね、包装材の長手方向両端部を生理用ナプキンの長手方向両端部よりも外方に延出させ、一方の端縁において、延出させた包装材を表面シート上に折り重ねて、その外面上に設けられた剥離部により、上記ウイング部の粘着部を保護してなる生理用ナプキンの包装構造が提案されている。
【０００５】
しかし、このような包装構造においては、包装材の一方の長手方向端縁部を、これに対応する生理用ナプキンの一方の長手方向端縁部よりも外方に延出させて、ウイング部の粘着部を保護できるようにする必要があるため、大量の包装材が必要となり、コストが上がるという問題があり、更には、包装構造がコンパクトでないため持ち運び等において不便であるという問題があった。
【０００６】
また、このような包装構造においては、内面が剥離処理されているために、包装構造の側縁部が良好にシールされないという問題もあった。
【０００７】
従って、本発明の目的は、装着操作が簡便で手間がかからず（取扱いが容易で、生理用ナプキン等の吸収性物品の漏れ防止性能等の効果が損なわれることがなく）更には、包装材と別に剥離紙を設ける必要がなく、生産性が良好で、材料の使用量も少なくてすみ、コンパクトに且つ封止性良く生理用ナプキン等の吸収性物品を個装できる吸収性物品の包装構造を提供することにある。
【０００８】
【課題を解決するための手段】
本発明者らは、上記問題を解消するために鋭意検討した結果、包装材の内面に非剥離部を設け、該非剥離部を介してウイング粘着部の保護部材を固着してなる包装構造が上記目的を達成しうることを知見した。
【０００９】
本発明は、上記知見に基づいてなされたもので、本体及び該本体の左右両側に設けられた左右一対のウイング部を有し、該本体の非肌当接面側に本体粘着部が設けられ且つ該ウイング部の非肌当接面側にウイング粘着部が設けられている吸収性物品と、これを個装する包装材とからなり、該本体粘着部と該包装材の内面とを剥離自在に粘着させてなる吸収性物品の包装構造において、上記ウイング部は、肌当接面側に向けて折り曲げられており、上記吸収性物品は、上記本体粘着部の略全面が上記包装材の内面に当接するように該包装材に粘着されており、上記包装材に粘着された上記吸収性物品は、その長手方向において、上記ウイング部が折り曲げられているウイング折曲部、該ウイング折曲部の前方に位置する前方部、及び該ウイング折曲部の後方に位置する後方部に区分されており、上記包装材に粘着された上記吸収性物品の上記前方部及び上記後方部は、該包装材と共に、上記ウイング折曲部の上記非肌当接面側に折り畳まれており、上記包装材は、その内面が、該内面の長手方向側縁部の少なくとも一部を残して剥離処理されて、剥離処理された剥離部と、剥離処理されていない非剥離部とに区分されており、該非剥離部は、上記包装材の内面における上記後方部に当接する部分の長手方向左右両側縁部に設けられており、上記包装材には、ウイング粘着部保護部材が、該ウイング粘着部保護部材の両端縁部をそれぞれ該包装材における上記後方部に当接する部分の長手方向左右両側縁部の上記非剥離部に固着して設けられており、該ウイング粘着部保護部材は、剥離自在に上記ウイング粘着部に粘着されている、ことを特徴とする吸収性物品の包装構造。
を提供するものである。
【００１０】
【発明の実施の形態】
以下、本発明の吸収性物品の包装構造について図面を参照して説明する。
ここで、図１は、本発明の吸収性物品の包装構造の１形態を示す斜視図であり、図２は、その側面図（内部透視図）である。また、図３は、本形態において用いられる吸収性物品としての生理用ナプキンの斜視図であり、図４は、本形態において用いられる包装材の内面を示す斜視図である。図５は、図１に示す包装構造を展開する途中の形態を示す斜視図であり、また、図６は、その側面図（内部透視図）である。図７は、図１に示す包装構造の展開図であり、また、図８は、その側面図（内部透視図）である。図９は、本形態の吸収性物品の包装構造の製造方法の概要を示す概略図である。
【００１１】
図１及び図２に示す本形態の生理用ナプキンの包装構造１は、本体３及び該本体３の左右両側に設けられた左右一対のウイング部４を有し、該本体３の非肌当接面３２側に本体粘着部３７が設けられ且つ該ウイング部４の非肌当接面３２側にウイング粘着部４１が設けられている生理用ナプキン２（図３参照）と、これを個装する包装材５とからなり、該本体粘着部３７と該包装材５の内面５４とを剥離自在に粘着させてなる。
【００１２】
更に詳細に説明すると、上記包装構造１に用いられる上記生理用ナプキン２は、図３に示すように、肌当接面３１が液透過性のシート材により、また、非肌当接面３２が液不透過性のシート材によりそれぞれ形成され、更に上記肌当接面３１と非肌当接面３２との間に液保持性の吸収体（図示せず）を有し、上記本体粘着部３７及び上記ウイング粘着部４１も通常の粘着剤を用いて形成された、通常の生理用ナプキンである。また、上記ウイング部４は、ナプキンの長手方向ほぼ中央部に位置している。
また、上記本体粘着部３７は、上記非肌当接面３２の略全面に亘って設けられている。ここで、「略全面に亘って設けられている」とは、後述する前方部３３、ウイング折曲部３４及び後方部３５の何れの箇所にも設けられていることを意味する。
【００１３】
また、上記包装材５は、図４に示すように、略長方形状であり、その前端縁５１には包装構造止着用の公知のタブテープ５６が設けられている。
【００１４】
上記包装材５の形成材料は、公知のものを特に制限なく用いることができるが、具体的には、厚さ５〜５０μｍのポリプロピレン、ポリエステル、ポリエチレン、ポリビニルアルコール、あるいは不織布や紙、及びこれらの複合材料等の包装材料が挙げられる。
【００１５】
而して、図１及び２に示すように、本形態の包装構造１において、上記ウイング部４は、肌当接面３１側に向けて折り曲げられており、上記生理用ナプキン２は、上記本体粘着部３７の略全面が上記包装材５の内面に当接するように該包装材５に粘着されており、上記包装材５に粘着された上記生理用ナプキン２は、その長手方向において、上記ウイング部４が折り曲げられているウイング折曲部３４、該ウイング折曲部３４の前方に位置する前方部３３、及び該ウイング折曲部３４の後方に位置する後方部３５に区分されており、上記包装材５は、その内面５４が、該内面５４の長手方向側縁部の少なくとも一部を残して剥離処理されて、剥離処理された剥離部５４ａと、非剥離部５４ｂとに区分されており、上記包装材５には、ウイング粘着部保護部材６が、該ウイング粘着部保護部材６の端縁部を該包装材５の上記非剥離部５４ｂに固着して設けられている。
【００１６】
更に詳述すると、図１及び図２に示すように、上記ウイング部４は、肌当接面３１側に向けて折り曲げられているため、肌当接面３１の表面上において、上記ウイング粘着部４１の表面側を肌当接面３１側に向けて位置している。
また、上記非肌当接面３２の略全面が上記包装材５に当接されて、該非肌当接面３２上の本体粘着部３７全面が該包装材５により保護されている。
【００１７】
また、上記ウイング折曲部３４は、図１，２，５，６，７及び８に示すように、上記ウイング部４を折り曲げたことにより該ウイング部４が肌当接面３１上に位置している部分である。また、該ウイング折曲部３４の「前方」及び「後方」とは、通常の使用時において、生理用ナプキンを掴む方、即ちタブテープ側に位置する方を「前方」とし、その反対側を「後方」としたものである。尚、該「前方」及び該「後方」は、便宜上定義されるものであり、これによりナプキンの使用方向等が限定されるものではない。
また、上記前方部３３、上記ウイング折曲部３４及び上記後方部３５は、図３の一点鎖線で示される折曲部（以下、本明細書及び図面において「折曲部」という場合には、図中の一点鎖線の部分を指す）で区切られている生理用ナプキンの部分、即ち、図２に示すように包装構造において３層に互いに折り重なる部分を意味する。そして、包装材における「前方部が当接する部分５７」、「ウイング折曲部が当接する部分５８」及び「後方部が当接する部分５９」とは、単に生理用ナプキンと包装材とが当たる部分のみを意味するものではなく、図３に示すように、生理用ナプキンの前方部３３、ウイング折曲部３４及び後方部３５の３つの部位が位置する、図３の一点鎖線で区切られる包装材の３つの部位５７、５８、５９を意味するものである。
【００１８】
上記剥離部５４ａ及び上記非剥離部５４ｂは、図４に示すように、上記包装材５の内面５４を、上記後方部３５に当接する部分５９の長手方向左右両側縁部の一部を残して剥離処理して形成されている。これにより、該非剥離部５４ｂは包装材５の内面５４における後方部３５に当接する部分５９の長手方向略中央部における左右両側縁部に形成されている。
また、上記剥離処理は、公知の手法を特に制限なく用いて行うことができるが、具体的には、上記包装材５の内面５４全面に、剥離処理剤を塗布するか又は剥離テープ、剥離紙、剥離処理した不織布、剥離処理したポリエチレンラミネート紙若しくは剥離処理したポリエチレンフィルムなどの剥離部材を貼付する等して行うことができる。剥離処理剤あるいは剥離部材の剥離剤成分としてはシリコーン樹脂系、フッソ樹脂系、又はオクタデシルイソシアネート系等のものが好ましい。特に、上記剥離処理としては、上記剥離材成分として、シリコーン樹脂系のものを用いて、塗布して加熱乾燥、紫外線照射などにより高分子量化するか、スプレーで吹きつけ薄い被膜を形成させる等するのが好ましい。
【００１９】
そして、図２，５及び７に示すように、上記ウイング粘着部保護部材６は、長方形状であり、その長手方向一端縁６１が上記非剥離部５４ｂに、ヒートシールにより固着されて設けられている。
また、上記ウイング粘着部保護部材６は、その表面（図７において露出している面であって、上記ウイング粘着部４１と当接する面）が剥離処理されており、これにより、剥離自在に上記ウイング粘着部４１に粘着されている。
このような上記ウイング粘着部保護部材６の形成材料としては、剥離処理された、ポリオレフィンフィルム、ポリエステルフィルムや紙等が用いられるが、剥離処理可能な材料であれば特に制限されずに用いられる。
【００２０】
また、上記包装材５の前端縁５１は、上記生理用ナプキンの前端縁３ａよりも外方に延出しており、この際の延長長さは、１〜３ｃｍとするのが好ましい。
また、本形態においては、包装材５の後端縁５３は生理用ナプキン２の後端縁３ｂよりも短くなされている。また、上記包装材５は、その左右両側縁も上記生理用ナプキン２の両側縁よりも外方に延出している。
【００２１】
上記包装材５は、図１に示すように、その左右両側縁部５２においては、ヒートシールにより封止されており、上記前端縁５１においては、上記タブテープ５６により封止されている。また、上記の左右両側縁部５２においては、ヒートシールすると同時にこのヒートシールされた部分に沿ってミシン目を入れて開封をより容易にするのが好ましい。
【００２２】
そして、生理用ナプキン２の使用に際しては、上記タブテープ５６を引き剥がし、上記左右両側縁部５２（ミシン目が設けられている場合には該ミシン目）を切り離して、上記前方部３３、上記後方部３５の順に開けることにより、図３に示すように、包装構造１を開封して、生理用ナプキン２を使用に供することができる。
【００２３】
本形態の生理用ナプキン２の包装構造１は、上述の如く構成されているので、余分なゴミが生じることがなく、夜用等の大きな生理用ナプキン２においても、コンパクトに包装できるため、包装構造がコンパクトであり、持ち運びも容易である。また、本発明の包装構造は、包装構造を開封してナプキンを取り出せばすぐに装着できる状態であるため、取り扱い性に優れ、ナプキンの漏れ防止性（ウイング部の機能）を損なうことが少ない。更には、後述するように、容易に製造できる構造であるため、生産性が高く、コストも低い。特に、包装材５の側縁部においてウイング粘着部保護部材６が固着されているので、包装構造の開封方向（包装材の長手方向）に長く固定部を設けることができ、包装構造を開封し生理用ナプキンを取り出す際にウイング粘着部保護部材６が包装材５から剥がれてしまうことがなく、包装構造をスムーズに開封することができる。また、上記ウイング粘着部保護部材６が上記非剥離部５４ｂに固着されているので、包装構造の封止が容易であり、また、開封時にウイング粘着部保護部材６が包装材５から剥離してしまったりしない。
【００２４】
次いで、本発明の生理用ナプキンの包装構造の製造方法の一形態として、上記第１の形態の包装構造１の製造方法について説明する。
本形態の製造方法は、図９に示すように、本体粘着部３７及びウイング部粘着部４１が形成されていない生理用ナプキン２’におけるウイング部４’を肌当接面３１側に折り返すウイング部折り込み工程（図９に示すＡ）、ウイング粘着部保護部材の連続材６’上に所定間隔で粘着剤４１’を塗布し、該粘着剤４１’が上記ウイング部４’に転写されるように該連続材６’を該ウイング部４’に当接させると共に、所定位置に粘着剤３７’が塗布された包装材５上に、該粘着剤３７’と非肌当接面３２とが当接するように生理用ナプキン２’を載置して、本体粘着部３７を形成する粘着部形成工程（図９に示すＢ）、及び包装材５と生理用ナプキン２とを一体に折り畳んで、所定位置を封止する封止工程（図９に示すＣ）を行うことにより実施することができる。
【００２５】
更に詳述すると、上記ウイング部折り込み工程は、通常のウイング付きナプキンにおける該ウイング部を折り込む方法を特に制限なく用いて行うことができる。尚、該ウイング部折り込み工程においては、該ウイング部４の非肌当接面３２側が上記肌当接面３１上に載置され露出する。
【００２６】
上記粘着部形成工程において、粘着剤４１’を塗布する上記「所定間隔」は、ウイング部４の形状などに応じて任意であり、上記粘着剤４１’の塗布形状も任意である。
また、上記粘着剤４１’の塗布は、通常の粘着剤塗布装置（図示せず）により、粘着剤４１’を上記連続体６’の剥離処理された面に塗布することにより行われる。
【００２７】
上記粘着部形成工程においては、上記粘着剤４１’が、上記ウイング部４に当接するように、該ウイング粘着部保護部材の連続材６’をナプキン上に載置する。これにより、該粘着剤４１’は、該ウイング粘着部保護部材６の表面が剥離処理されているため、上記ウイング部４に移行し、ウイング部４上に転写される。
【００２８】
また、上記粘着剤３７’の塗布は、通常の粘着剤の塗布方法に従って、包装材の剥離処理された内面５４に粘着剤を塗布することにより行うことができる。
次に、この粘着剤３７’が塗布された包装材５上に、該粘着剤３７’と非肌当接面３２とが当接するように生理用ナプキン２を載置する。これにより、上記内面５４から上記非肌当接面３２に粘着剤３７’が移行して本体粘着部３７が形成される。
【００２９】
上記封止工程は、生理用ナプキンを、後方部３５、前方部３３の順にウイング折曲部３４上に折り畳んで、更に、包装材５の側縁部５２をヒートシールすると共に切断し、また、前端縁５１をタブテープ５６により封止することにより行う。これにより、包装材５の側縁部５２がヒートシールされて封止されると共にウイング粘着部保護部材６が包装材５における非剥離部５４ｂに固着される。
【００３０】
また、上記工程以外の工程、即ち、生理用ナプキンの製造工程や包装材の剥離処理工程などは、通常の方法を特に制限なく用いて行うことができる。
【００３１】
尚、本発明の包装構造は、上述した形態に限定されるものではなく、本発明の趣旨を逸脱しない範囲で種々変形が可能である。
【００３２】
【発明の効果】
本発明の吸収性物品の包装構造は、装着操作が簡便で手間がかからず（取扱いが容易で、生理用ナプキン等の吸収性物品の漏れ防止性能等の効果が損なわれることがなく）更には、包装材と別に剥離紙を設ける必要がなく、生産性が良好で、材料の使用量も少なくてすみ、コンパクトに且つ封止性良く生理用ナプキン等の吸収性物品を個装できるものである。
【図面の簡単な説明】
【図１】図１は、本発明の吸収性物品の包装構造の１形態を示す斜視図である。
【図２】図２は、図１の側面図（内部透視図）である。
【図３】図３は、本形態において用いられる吸収性物品としての生理用ナプキンの斜視図である。
【図４】図４は、本形態において用いられる包装材の内面を示す斜視図である。
【図５】図５は、図１に示す包装構造を展開する途中の形態を示す斜視図である。
【図６】図６は、図５の側面図（内部透視図）である。
【図７】図７は、図１に示す包装構造の展開図である。
【図８】図８は、図７の側面図（内部透視図）である。
【図９】図９は、本形態の吸収性物品の包装構造の製造方法の概要を示す概略図である。
【符号の説明】
１          生理用ナプキンの包装構造
２          生理用ナプキン
３          本体
３１        肌当接面
３２        非肌当接面
３３        前方部
３４        ウイング折曲部
３５        後方部
３７        本体粘着部
４          ウイング部
４１        ウイング粘着部
５          包装材
５１        前端縁
５２        側縁部
５３        後端縁
５４        内面
５６        タブテープ
６          ウイング粘着部保護部材
６１，６２  端縁部
６３        接着剤
【図１】
0003664863.tif 000002
【図２】
0003664863.tif 000003
【図３】
0003664863.tif 000004
【図４】
0003664863.tif 000005
【図５】
0003664863.tif 000006
【図６】
0003664863.tif 000007
【図７】
0003664863.tif 000008
【図８】
0003664863.tif 000009
【図９】
0003664863.tif 000010